(57)【要約】【課題】組み立てが簡単で、不使用時には分解して仕舞うことができ、収納には場所をとらず、清掃や保管など維持管理に優れたフレーム体を提供すること。【解決手段】少なくとも３本のフレーム２と、該フレーム２の上端を回動可能に支持するとともに各フレーム２を放射状に配置した頂部部材４と、上記フレーム２の下端が外周部に着脱可能に固定されるマット３とを備えたフレーム体であって、上記フレーム２は可撓性を有し、上記頂部部材４は中央に上下に貫通する貫通孔１２を設け、該貫通孔１２を下方から係合部材１１を挿通可能に形成するとともに、上記フレーム２の上端が貫通孔１２内に露出するように形成し、上記係合部材１１を上記頂部部材４に着脱可能に形成するとともに、下部には上記貫通孔１２へ挿通した時に上記フレーム２の上端に係合する係合部１３を突出して形成した。【選択図】図１
2005342365.tif 000002
【特許請求の範囲】
【請求項１】
以下の要件を備えることを特徴とするフレーム体。
（イ）上記フレーム体は、少なくとも３本のフレームと、該フレームの上端を回動可能に支持するとともに各フレームを放射状に配置した頂部部材と、上記フレームの下端が外周部に着脱可能に固定されるマットとを備えること
（ロ）上記フレームは可撓性を有すること
（ハ）上記頂部部材は中央に上下に貫通する貫通孔を設け、該貫通孔を下方から係合部材を挿通可能に形成するとともに、上記フレームの上端が貫通孔内に露出するように形成したこと
（ニ）上記係合部材は上記頂部部材に着脱可能に形成されるとともに、下部には上記貫通孔へ挿通した時に上記フレームの上端に係合する係合部が突出して形成されていること
（ホ）上記係合部材を上記頂部部材の貫通孔に挿通させると、上記係合部は上記フレームの上端部に係合し、各フレームを外方に回動させた状態で固定されること
（へ）上記フレームは、下端が上記マットに固定され、且つ上端が上記係合部材で固定されたとき、外方に湾曲した状態になること
【請求項２】
前記フレームは、クッション層により被覆されている、請求項１記載のフレーム体。
【請求項３】
以下の要件を備えることを特徴とするベビージム。
（イ）上記ベビージムは、少なくとも３本のフレームと、該フレームの上端を回動可能に支持するとともに各フレームを放射状に配置した頂部部材と、上記フレームの下端が外周部に着脱可能に固定されるマットとを備えること
（ロ）上記フレームは可撓性を有すること
（ハ）上記頂部部材は中央に上下に貫通する貫通孔を設け、該貫通孔を下方から係合部材を挿通可能に形成するとともに、上記フレームの上端が貫通孔内に露出するように形成したこと
（ニ）上記係合部材は上記頂部部材に着脱可能に形成されるとともに、下部には上記貫通孔へ挿通した時に上記フレームの上端に係合する係合部が形成されていること
（ホ）上記頂部部材の貫通孔に上記係合部材を挿通させると、上記係合部は上記フレームの上端部に係合し、各フレームを外方に回動させること
（へ）上記フレームは、下端が上記マットに固定され、且つ上端が上記係合部材で固定されたとき、外方に湾曲した状態になること
（ト）上記フレーム、及び上記係合部材の何れか一方又は両方に、飾りや玩具等の遊具を吊設する吊設手段を設けたこと
【発明の詳細な説明】
【技術分野】
【０００１】
本発明は、フレーム体及びこのフレーム体を用いたべビージム、詳しくは使用時には簡単に組み立てることができ、不使用時には分解して収納できるようにしたフレーム体及びこのフレーム体を用いたべビージムに関するものである。
【背景技術】
【０００２】
従来、幼児が一人で遊ぶことができる遊具としてベビージムが一般に提案されている（例えば、特許文献1参照）。
【０００３】
このベビージムは、フレーム体が左右の脚部と、これらの脚部を連結する基枠とを接合した門形に構成されているものである。
【特許文献１】特開２００１−３４０６６０号公報
【発明の開示】
【発明が解決しようとする課題】
【０００４】
本発明が解決しようとする問題点は、上述のベビージムは、フレーム体が左右の脚部と基枠が接合されて構成されているため、使用するときには簡単に組み立てて使い、使用しないときには簡単に分解して片付けることは不可能なものであり、収納には広い場所を要するものであった。また、ベビージムの設置場所が板の間であれば別途マットを引く必要があり、取り扱い上でも煩雑な点であった。
【０００５】
本発明は前記問題点を解消し、組立てが簡単で、不使用時には分解して仕舞うことができ、収納には場所をとらず、清掃や保管など取り扱いに優れたフレーム体と、このフレーム体を用いたベビージムを提供することをその課題とする。
【課題を解決するための手段】
【０００６】
前記課題を解決するため、本発明に係るフレーム体は、以下の要件をそなえることを特徴とする。
（イ）上記フレーム体は、少なくとも３本のフレームと、該フレームの上端を回動可能に支持するとともに各フレームを放射状に配置した頂部部材と、上記フレームの下端が外周部に着脱可能に固定されるマットとを備えること
（ロ）上記フレームは可撓性を有すること
（ハ）上記頂部部材は中央に上下に貫通する貫通孔を設け、該貫通孔は下方から係合部材を挿通可能に形成するとともに、上記フレームの上端が貫通孔内に露出するように形成したこと
（ニ）上記係合部材は下部が略台形状に膨出していること
（ホ）上記頂部部材の貫通孔に上記係合部材を挿通させると、該係合部材の膨出部は上記フレームの上端部に係合し、各フレームを外方に回動させること
【０００７】
なお、前記フレームは、クッション層により被覆され、当たっても痛みを感じないようにすることが好ましい。
【０００８】
また、本発明に係るベビージムは、以下の要件を備えるようにしてもよい。
（イ）上記ベビージムは、少なくとも３本のフレームと、該フレームの上端を回動可能に支持するとともに各フレームを放射状に配置した頂部部材と、上記フレームの下端が外周部に着脱可能に固定されるマットとを備えること
（ロ）上記フレームは可撓性を有すること
（ハ）上記頂部部材は中央に上下に貫通する貫通孔を設け、該貫通孔は下方から係合部材を挿通可能に形成するとともに、上記フレームの上端が貫通孔内に露出するように形成したこと
（ニ）上記係合部材は下部が台形上に膨出していること
（ホ）上記頂部部材の貫通孔に上記係合部材を挿通させると、該係合部材の膨出部は上記フレームの上端部に係合し、各フレームを外方に回動させること
（へ）上記フレーム、及び上記係合部材の何れか一方又は両方に、飾りや玩具等の遊具を吊設する吊設手段を設けたこと
【発明の効果】
【０００９】
請求項１の発明によれば、少なくとも３本のフレームの下端をマットに固定させて、係合部材でフレームを彎曲状に広げれば、簡単迅速にドーム型のフレーム体が組み立てることができ、また、係合部材によるフレームの広げを解き、フレームの下端をマットから外せば、フレームを分解して片付けることも簡単迅速にできて、しかも、フレームは棒状に纏まり、マットは畳むことができるので、これ等の収納に場所を取らないし、細いフレームで構成されるフレームは、幼児に相応しい可愛い形状であって、安価に製作することができ、かつ、マット付きでるために設置する場所が固かったり、冷たかったりする場合も安心であり、設置場所を汚すようなトラブルも回避することができる。
【００１０】
請求項２の発明によれば、細いフレームの外側にクッション層を形成すれば、幼児がフレームへ触れることがあってもクッション層に保護されて怪我をするようなことがない。
【００１１】
請求項３の発明によれば、少なくとも３本の細いフレームでマットの上へドーム型のフレーム体を構成して、フレームの上端を枢着する頂部部材またはフレームの一方か、両方に飾りや玩具等を吊設することができるので、幼児がマットに寝転んだり、座ったりした状態で飾りや玩具を眺めたり、触れたりして楽しく安全に遊ぶことができる。しかも、設置する場所が固かったり、冷たかったりする場合もマット付きであるために安心であり、設置場所を汚すような問題を起こすこともなくなる。そして、簡単に組立て、分解をすることができるので収納には場所を取らないし、シートが汚れてもクリーニングができるので、取り扱い性と安全性とに優れたベビージムを実現することができる。
【発明を実施するための最良の形態】
【００１２】
少なくとも３本のフレームと、このフレームの上端を回動可能に支持するとともに各フレームを放射状に配置した頂部部材と、上記フレームの下端が外周部に着脱可能に固定されるマットとを備えたフレーム体であって、上記フレームは可撓性を有し、上記頂部部材は中央に上下に貫通する貫通孔を設け、該貫通孔を下方から係合部材を挿通可能に形成するとともに、上記フレームの上端が貫通孔内に露出するように形成し、上記係合部材を上記頂部部材に着脱可能に形成するとともに、下部には上記貫通孔へ挿通した時に上記フレームの上端に係合する係合部を突出して形成し、上記係合部材を上記頂部部材の貫通孔に挿通させると、上記係合部は上記フレームの上端部に係合し、各フレームを外方に回動させた状態で固定し、外方に湾曲させてシートを張った状態になるようにした。
【実施例１】
【００１３】
以下、図面によって本発明のフレーム体の一例について説明する。
【００１４】
図１、図２等において符号１はフレーム体を示す。このフレーム体1は、少なくとも３本のフレーム２を組み合せてマット３の上へ開閉可能に構成するものであり、このフレーム体1に用いるフレーム２は、力を加えると湾曲し、力を除くと直伸する鋼線またはカーボンファイバー線などの可撓性を有する素材で形成されていればよい。そして、マット３上に安定したフレーム体１を構成するために必要なフレーム２の数は少なくとも３本（本発明では、４本のフレームを使用）で、各フレーム２の上端を頂部部材４へ放射状に設けた溝部５へ嵌め込んで、上端へ図３に示す通り、あけられる孔６へ頂部部材４に支持される軸７を嵌合して、各フレーム２の上端を頂部部材４へ回動自在に枢着し、また、各フレーム２の下端にはマット３へ固定するための止着部８を設けてある。
【００１５】
なお、上記各フレーム２は、頂部部材４に支持される上端及びマット３に支持される下端を除く部分を、ウレタンフォーム等によるクッション層９で覆い、若し、フレーム２へ幼児の身体が当たることがあっても、クッション層９により当りを和らげて幼児が怪我をしないようにしてある。
【００１６】
マット３は、畳んだり丸めたりして収納することができるように布または合成樹脂シート等で、必要な面積が得られる円形、方形、多角形などに形成して、外周部に各フレーム２の下端に設けた止着部８を受ける受部１０を所定の間隔で設けてある。
【００１７】
図２において符号１１は、各フレーム２の上端に係合し、各フレーム２を軸７を中心に外方に回動させ、これを彎曲状に広げる操作と、フレーム２を湾曲させた状態を保持するための係合部材であり、この係合部材１１は、軸部１１ａを頂部部材４の中心にあけた貫通孔１２へ着脱可能に挿通できるようになっている。この軸部１１ａの下端には、図３（ｂ）に示すように、中央側に向かって高くなるように傾斜した斜片からなる係合部１３が付設された鍔部１１ｂが形成され、軸部１１ａの中間に、貫通した横孔１４を設け、この横孔１４にはバネ１５によって先端が外方に突出する係合子１６を収容してあるので、図２に示すように、係合部材１１の係合部１３が各フレーム２の上端に対応する状態で貫通孔１２に下方から挿入すると、図３（ａ）に示すように、係合部１３が各フレーム２の上端内側面に係合しこれを軸７を中心に外方に回動させるとともに、係合部１３と頂部部材４とでフレーム２を一定角度に支持することができる。このとき、フレーム２の下端はマット３に止着されているのでマット３を広げ、マット３を一杯に広げきるとフレーム２は撓むことになり、全てのフレーム２を彎曲状に広げることができる。そして、係合子１６がバネ１５に付勢されて頂部部材４の上面に突出するので、係合部材１１を頂部部材４に固定した状態にすることができる。
【００１８】
なお、上記係合部１３は、図３（ｃ）に示すように、円錐台状に形成してもかまわない。このことにより、係合部材１１の軸部１１ａを貫通孔１２に差し込む際、係合部１３と、フレーム２との対応位置を意識しないですむことができる。
【００１９】
そして、上記係合部材１１は、軸部１１ａの上側に紐１８を繋いで、この紐１８を頂部部材４の貫通孔１２より上側へ引き出し、上端に合成樹脂製などのリング１９を取り付けておけば、頂部部材４の上面に係合している係合子１６を引っ込めて係合部材１１を頂部部材４から外すとき、係合部材２が滑りおちても、リング１７が頂部部材４へ係合して、係合部材１１を頂部部材４に支持させる。なお、頂部部材４から外した係合部材１１は、図４に示す通り各フレーム２の間より外へ出すことができるので、各フレーム２が係合部材１１に邪魔されることなく棒状に畳むことができる。
【００２０】
なお、図２において符号２０は、フレーム２の下端に設けた止着部８と、マット３に設けた受部１０とを離脱可能に接合する接合手段であって、この接合手段２０は通常、雄部材２０ａと雄部材２０ｂの２部材により形成して、一方をフレーム２の止着部８へ取り付け、他方をマット３の受部１０へ取り付ける。そして、雌部材２０ｂへ雄部材２０ａを係合させると、各フレーム２の下端がマット３へ結合され、雌部材２０ｂから雄部材２０ａを外すと、マット３から各フレーム２の下端が離脱される。この結合手段２０としては、スナップ、ボタン、面ファスナー等の手段を用い、これ等手段の構造は周知に属するものであるので、構造を説明する図面及び説明は省略する。
【００２１】
上記構成のフレーム体１は、これを設置する場所にマット３を敷いて、このマット３の上へ４本のフレーム２を、下端の止着部８がマット３の受部１０へ合うように広げて置き、各フレーム２の止着部８とマット３の受部１０とを、接合手段２０の雌部材２０ｂに雄部材２０ａを係合させて接合する。次に、頂部部材４を抑えてリング１７で係合部材１１を引き上げれば、係合部材１１は頂部部材４の貫通口１２内に挿通され、鍔１１ｂに設けた各係合部１３が各フレーム２の上部内側面に当たってこの部分を押し上げるので、各フレーム２は軸７を中心に外方に回動するが、フレーム２の下端はマット３に固定されているので、図１に示す通り湾曲して全体としてドーム型を形成する。
【００２２】
このとき、軸部１１ａに設けた係合子１６は頂部部材４の上側に移動するため、バネ１５で押し出されて、頂部部材４の上面へ係合して、係合部材１１を制止するため、ドーム型のフレーム体１を簡単迅速に組み立てることができる。
【００２３】
また、上記の通り組み立てられたフレーム体１は、係合部材１１を強く押し下げれば、係合子１５がバネ１４を圧縮して横孔１３内へ引っ込むため、係合部材１１が頂部部材４から外れるため、湾曲していた各フレーム２が直伸するから、この状態で接合手段２０で各フレーム２の下端に設けた止着部８をマット３の受部１０より離脱すると、フレーム体１は簡単迅速に分解されるので、各フレーム２は図４に示す通り係合部材１１を外に出せば棒状に畳まれ、マット３は図４の通り２つ折りか、図面には示してないが、４つ折り、或いは丸めて棒状にすることもできるので、この状態では場所を取らないため、片付けや収納に便利である。
【実施例２】
【００２４】
この実施例は、実施例１に示した構成のフレーム体１を利用したビージムの実施形態を示す。
【００２５】
図５において符号２１は、ベビージムを示すものであり、このベビージム２１は、上端が頂部部材４へ回動可能に枢着された４本のフレーム２の下端に設けた止着部８をマット３に設けた受部１０へ接合手段２０で接合しておいて、係合部材１１を頂部部材４の貫通孔１２に下方から挿入し、係合部１３が各フレーム２の上端に係合すると、各フレーム２を軸７を中心に外方に回動させ、彎曲させてドーム型をなすように構成されたフレーム体１において、上記係合部材１１の下面または各フレーム２の中間部等に、吊設手段である掛輪か掛鉤２２を設ける。そして、係合部材１１の掛輪か掛鉤２２には吊りリング２３等で、人形２４や玩具２５等が吊られたメリーゴーランド２６を吊設し、各フレーム２の掛輪か掛鉤２２には、吊りリング２３や、鎖２３、その他によって飾り２７か、人形、玩具（何れも図面省略）を吊設するとベビージム２１が構成される。
【００２６】
上記構成のベビージム２１は、マット３の上へ幼児を仰向きに寝かすと、係合部材１１に吊設したメリーゴーランド２６の人形２４、玩具２５、各フレーム２に吊設した飾り２７等が幼児の視野に入るので、幼児が小さい時は人形２４や玩具２５、２７を眺めて楽しみ、成長すれば、人形２４、玩具２０、飾り２１に手が届くようになるため、触れて楽しむこともできる。
【００２７】
また、このベビージム２１は、係合部材１１からメリーゴーランド２６を取り外し、各フレーム２から飾り２７等を取り外した後に、各フレーム２の下端の止着部８をマット３の受部１０より離脱し、頂部部材４から係合部材１１を抜き取れば、各フレーム２を直伸するように閉じることができ、マット３を畳むか、巻くかして、ベビージム２１を分解できるので、場所をとらないように収納することができる。
【００２８】
そして、マットが敷かれるので、固い床や冷たい床であっても安心して幼児を遊ばせることができるし、床を汚すこともない。また汚れたマットはクリーニングができるので安全性や、衛生面において優れたベビージムを提供することができる。
【図面の簡単な説明】
【００２９】
【図１】本発明に係るフレーム体の構成を説明する斜視図
【図２】フレームの下端をマットに接合した状態と接合手段を示す断面図
【図３】（ａ）〜（ｃ）フレームを彎曲する操作と制止を行なう係合部材の構造と配置を示す拡大断面図及び係合部材の斜視図
【図４】フレーム体を分解し、収納できる状態にした斜視図
【図５】ベビージムの構成を説明する側面図
【符号の説明】
【００３０】
１    フレーム体
２    フレーム
３    マット
８    止着部
１１    係合部材
【図１】
2005342365.tif 000003
【図２】
2005342365.tif 000004
【図３】
2005342365.tif 000005
【図４】
2005342365.tif 000006
【図５】
2005342365.tif 000007